(57)【要約】【課題】  環径違いの２種類のランプに対して器具本体を共用する場合、ランプソケットの取付部を共用することができ、穴やねじ切り加工削減、金型構造の簡略化等ができる照明器具およびその組立方法を提供する。【解決手段】  ランプソケット６は環形ランプ８のランプピンを挿着する受金部９を有し、環形ランプ８の環中心Ｏを器具本体３の一定の位置に対向させるように器具本体３に取付ける取付部１０を有する。器具本体３に対して、環径Ａを有する環形ランプ８と、環径Ａよりも小さい環径Ｂの環形ランプ８ａのいずれか一方を配置し、ランプソケット６は、受金部９と取付部１０との間の環形ランプ８、８ａの径方向の距離を、取付部１０が環形ランプ８のランプ管の近くのとき（Ａ−Ｂ）／４とする。【選択図】        図１
2006048999.tif 000002
【特許請求の範囲】
【請求項１】
器具本体と、ランプピンを有する環形ランプの前記ランプピンを挿着する受金部を有し、前記環形ランプの環中心を前記器具本体の一定の位置に対向させるように前記器具本体に取付ける取付部を有するランプソケットとを備え、
前記器具本体に対して、環径Ａを有する環形ランプと、環径Ａよりも小さい環径Ｂの環形ランプのいずれか一方を配置し、前記ランプソケットは、前記受金部と前記取付部との間の前記環形ランプの環径方向の距離を、（Ａ−Ｂ）／４または（Ａ＋Ｂ）／４としたことを特徴とする照明器具。
【請求項２】
前記受金部は前記環形ランプのランプピンを前記器具本体に対して略垂直方向に着脱するように構成されている請求項１記載の照明器具。
【請求項３】
取付部および受金部を有するランプソケットの前記取付部を器具本体に取付け、前記受金部に環形ランプのランプピンを挿着し、前記環形ランプの環中心を前記器具本体の一定の位置に対向させる照明器具の組立方法において、前記器具本体に対して、環径Ａを有する環形ランプと、環径Ａよりも小さい環径Ｂの環形ランプのいずれか一方を配置し、前記ランプソケットは、前記受金部と前記取付部との間の前記環形ランプの径方向の距離を、（Ａ−Ｂ）／４または（Ａ＋Ｂ）／４としたことを特徴とする照明器具の組立方法。
【発明の詳細な説明】
【技術分野】
【０００１】
この発明は、例えば環形蛍光灯などの照明器具およびその組立方法に関するものである。
【背景技術】
【０００２】
従来、同一の口金を有するが環径が異なる複数種類の環形ランプに対して、照明器具をそれぞれ専用器具としたり、各環形ランプに共用できる器具本体に各環形ランプに対応した部品を設けていた。例えば各環形ランプ用のランプソケットの取付部を受ける受け部を設けたり、ランプソケットの環径方向の長さ違いのものを作って対応していた（例えば特許文献１参照）。
【特許文献１】実用新案登録第３０７０４２３号公報
【発明の開示】
【発明が解決しようとする課題】
【０００３】
環径違いの複数の環形ランプに対して器具本体を共用する場合、ソケット取付孔、ソケット回転止め孔などをそれぞれ適合ランプの数だけ設ける必要があり、金型構造も複雑であった。また器具本体に使用していない穴が多数空くことになり、意匠的にも悪くなり、器具本体の強度が悪くなる。
【０００４】
また、ランプソケットを環形ランプの環径に合わせて環径方向に位置を変化させたとき、小径ランプ用位置におけるソケット回転止め孔と、大径ランプ用位置におけるソケット取付孔が干渉する位置にある場合には、ソケット位置をランプ周方向にずらす必要があった。この場合、その他の構成部品の配置にも影響を及ぼす。
【０００５】
したがって、この発明の目的は、環径違いの２種類のランプに対して器具本体を共用する場合、ランプソケットの取付部を共用することができ、穴やねじ切り加工削減、金型構造の簡略化等ができる照明器具およびその組立方法を提供することである。
【課題を解決するための手段】
【０００６】
この発明の照明器具は、器具本体とランプソケットを備え、ランプソケットはランプピンを有する環形ランプの前記ランプピンを挿着する受金部を有し、前記環形ランプの環中心を前記器具本体の一定の位置に対向させるように前記器具本体に取付ける取付部を有する。前記器具本体に対して、環径Ａを有する環形ランプと、環径Ａよりも小さい環径Ｂの環形ランプのいずれか一方を配置する。このとき、前記ランプソケットは、前記受金部と前記取付部との間の前記環形ランプの環径方向の距離を、（Ａ−Ｂ）／４または（Ａ＋Ｂ）／４としている。
【０００７】
上記構成において、前記受金部は前記環形ランプのランプピンを前記器具本体に対して略垂直方向に着脱するように構成されている。
【０００８】
この発明の照明器具の組立方法は、ランプソケットの取付部を器具本体に取付け、前記ランプソケットの受金部に環形ランプのランプピンを挿着し、前記環形ランプの環中心が前記器具本体の一定位置に対向する。前記器具本体に対して、環径Ａを有する環形ランプと、環径Ａよりも小さい環径Ｂの環形ランプのいずれか一方を配置する。このとき、前記ランプソケットは、前記受金部と前記取付部との間の前記環形ランプの径方向の距離を、（Ａ−Ｂ）／４または（Ａ＋Ｂ）／４としている。
【発明の効果】
【０００９】
この発明の照明器具によれば、環径違いの２種類のランプに対して器具本体を共用する場合、ランプソケットの取付部を受ける受け部を共用することが可能となり、穴やねじ切り加工の削減、金型構造の簡略化が可能となる。意匠的にも優れる。
【００１０】
また、２種類の環形ランプに対応したランプソケットの器具本体上の取付位置を、従来のように周方向にずらすことなく環中心を通る同一直線上に構成することが可能である。さらに例えば安定器が複数の環形ランプに対応したものである場合には、ユーザはランプソケットを回動させて取付けるだけで２種類の環形ランプを使い分けることができる。
【発明を実施するための最良の形態】
【００１１】
この発明の第１の実施の形態を図１および図２により説明する。すなわち、この照明器具は天井直付け型であり、天井１の引掛シーリング２に接続するシーリングキャップ１７に設けられた進退自在な可動係合片１７ａに係止する。器具本体３の下面の中央には器具カバー４が被せられ、器具カバー４の内側の器具本体３の下面に端子台、安定器、点灯装置、豆球ランプソケットが取付けられ、豆球５は器具カバー４に形成した孔を通して豆球ランプソケットに装着されている。また器具カバー４の縁部に形成した切欠を通して環形ランプ用のランプソケット６が器具本体３に取付けられ、器具カバー４の前面側に突出している。この場合、ランプソケット６の周側面に突起を設け、突起に器具カバー４の切欠の縁部を係止して器具カバー４でランプソケット６を器具本体３との間に挟持している。一方器具カバー４の外側の器具本体３の下面でランプソケット６と器具中心に対して対称な位置にランプ保持具７をねじ等の取付具で取付けている。
【００１２】
つぎに環形ランプ８およびランプソケット６を詳しく説明する。環形ランプ８はランプピン（図示せず）を有し、環形ランプ８の環中心Ｏを器具本体３の一定位置すなわち器具中心に対向するように器具本体３に対して配置される。この環形ランプ８は同心の２重管になっている。ランプソケット６は、環形ランプ８のランプピンを挿着する受金部９を有し、器具本体３に取付ける取付部１０を有する。ランプソケット６は環形ランプ８を器具本体３に対して垂直な方向に着脱できるように、ランプピンに対する受金部９およびランプ管に対する抱持ばね１５をそれぞれ構成している。取付部１０は取付具例えばねじ１２で器具本体３の取付位置に形成したねじ孔に取付けられる。
【００１３】
ここで、受金部９と取付部１０との間の環形ランプ８の径方向（矢印Ｙ）の距離Ｘを、（Ａ−Ｂ）／４とする。Ａは環形ランプ８の環径であり、環中心Ｏから、ランプピンの中心すなわち２重管の中心間の半分の距離までの寸法を半径とする直径である。Ｂは環径Ａよりも小さい環形ランプ８ａの環径である。例えば図１（ａ）は高ワットランプの環形ランプ８の環径Ａであるのに対して、図１（ｂ）は低ワットランプの環形ランプ８ａの環径Ｂである。１１はランプソケット６の側面から引き出したリード線である。
【００１４】
図１から明らかなように、環形ランプ８、８ａの環中心Ｏを同軸にして器具本体３の一定位置に対向すれば、環形ランプ８、８ａ間の間隔は環径Ａ、Ｂの差の半分（Ａ−Ｂ）／２であり、その半分（Ａ−Ｂ）／４がＸに等しくなる。この結果、径の異なる環形ランプ８、８ａの間のほぼ中央位置にランプソケット６の取付部１０を取付ける器具本体３の取付け位置を決めると、環形ランプ８、８ａに対するランプソケット６の取付位置を同じ一斗とすることができ、また同じランプソケット６を使用できる場合、ランプソケット６を１８０度回転して共用することができる。
【００１５】
照明器具の組立方法は、ランプソケット６の取付部１０およびランプ保持具７を器具本体３の上記した位置に取付けるとともに、安定器その他の部品を器具本体３に取付け、器具カバー４の切欠をランプソケット６に通して器具カバー４を器具本体３に取付け、ランプソケット６の受金部９に環形ランプ８のランプピンを挿着するとともにランプ保持具７に環形ランプ８を保持させる。これにより、天井裏からの電源線に接続された端子台に電力が供給されると、各部品の働きにより環形ランプ８が点灯する。
【００１６】
この発明の第２の実施の形態を図３に示す。第１の実施の形態において、複数の速結端子をランプソケット６の取付部１０に対して対称位置に配置し、速結端子の電線挿入穴１４を取付部１０の取付方向と同方向に器具本体３に向けている。また電線挿入穴１４に対応して器具本体３に電線挿通孔を形成し、電線挿通孔を通してリード線を電線挿入穴１４に挿入し速結している。
【００１７】
この実施の形態によれば、菊本体３のリード線の逃しまたはリード線の速結のための空間を環形ランプ８に対する右向き取付けと環形ランプ８ａに対する左向き取付けで共用することができる。
【００１８】
なお、端子部は速結端子に限らない。または端子部がなくてリード線を引き出したリード線付きの場合、リード線引き出し口が取付部１０の近傍に位置するようにしてもよい。
【００１９】
この発明の第３の実施の形態を図４および図５に示す。この照明器具は、ランプソケット６の取付部１０を器具本体３に形成した係止孔に係止するフックとしたものである。ランプソケット６は第１の実施の形態と同様に器具カバー４の切欠の縁部に係止する突起を設けている。その他は第１の実施の形態と同様であるが、第１の実施の形態に示したねじによる取付部はなくてよいが、あってもよい。
【００２０】
この発明の第４の実施の形態を図６に示す。第１の実施の形態と異なる点は、取付部１０と受金部９との間の距離を、（Ａ＋Ｂ）／４としていることである。実施の形態ではランプソケット６の取付部１０を器具本体３の環形ランプ８ａの内側に対向する位置、例えば器具中心付近に配置している。環径Ａの環形ランプ８の場合、図６（ａ）に示すように環中心Ｏに対向する一定位置すなわち器具中心からの環形ランプ８の半径Ａ／２であるから、取付部１０と環中心Ｏとの距離Ｚ1はＡ／２−（Ａ＋Ｂ）／４＝（Ａ−Ｂ）／４である。環径Ｂの環形ランプ８ａの場合の取付部１０と環中心Ｏとの距離Ｚ2は、図６（ｂ）に示すように｛（Ａ＋Ｂ）／４｝−Ｂ／２＝（Ａ−Ｂ）／４であり、Ｚ1＝Ｚ2である。したがって、ランプソケット６の取付部１０は環形ランプＡ、Ｂについて共用でき、かつ器具本体３の同じ取付位置に取付けることが可能であり、環形ランプＡ、Ｂについて同じランプソケット６を取付位置を中心に１８０度回転して共用することができる。
【００２１】
なお受金部９はランプピンを器具本体３に対して垂直方向ではなく傾斜した方向に着脱するようにしている。
【図面の簡単な説明】
【００２２】
【図１】（ａ）はこの発明の第１の実施の形態の大径の環形ランプを装着した照明器具の断面図、（ｂ）は小径の環形ランプを装着した照明器具の概略断面図である。
【図２】（ａ）は図１（ａ）に対応する大径の環形ランプのランプソケットの平面図、（ｂ）はその側面図、（ｃ）は図１（ｂ）に対応し前記（ａ）を１８０度回転した状態の小径の環形ランプのランプソケットの平面図、（ｄ）はその側面図である。
【図３】（ａ）は第２の実施の形態のランプソケットの平面図、（ｂ）はその側面図である。
【図４】（ａ）は第３の実施の形態の大径の環形ランプを装着した照明器具の断面図、（ｂ）は小径の環形ランプを装着した状態の照明器具の概略断面図である。
【図５】（ａ）は図４（ｂ）に対応する大径の環形ランプのランプソケットの平面図、（ｂ）はその側面図、（ｃ）は図４（ａ）に対応し前記（ａ）を１８０度回転した状態の小径の環形ランプのランプソケットの平面図、（ｄ）はその側面図である。
【図６】（ａ）は第４の実施の形態の大径の環形ランプを装着した照明器具の部分図、（ｂ）は小径の環形ランプを装着した状態の照明器具の部分図である。
【符号の説明】
【００２３】
３    器具本体
６    ランプソケット
８    環形ランプ
８ａ  環形ランプ
９    受金部
１０    取付部
１２    ねじ
【図１】
2006048999.tif 000003
【図２】
2006048999.tif 000004
【図３】
2006048999.tif 000005
【図４】
2006048999.tif 000006
【図５】
2006048999.tif 000007
【図６】
2006048999.tif 000008